(57)【要約】【課題】音声会議中に他の会議参加者または外線の相手との音声通話を可能とし、会議中と非会議の他の相手との両方の受話音声を聞き続けながら、通話中の送話音声は通話相手のみに送信する電話装置を提供する。【解決手段】第１の通信装置との通話中に、かつ第２の通信装置からの着信があった場合または第２の通信装置への発信があった場合、受話音声出力手段は、受話音声信号合成手段が合成した受話音声信号を音声に変換して出力し、送話音声信号切替送信手段は、送話音声入力手段が入力した送話音声信号を第２の通信装置へ送信するように切り替える。【選択図】図２
2009213084.tif 000002
【特許請求の範囲】
【請求項１】
複数の通信装置との通話機能を有する電話装置において、
第１の通信装置からの受話音声信号を受信する第１受話音声信号受信手段と、第２の通信装置からの受話音声信号を受信する第２受話音声信号受信手段と、前記第１受話音声信号受信手段が受信した第１の音声信号と前記第２受話音声信号受信手段が受信した第２の音声信号とを合成する受話音声信号合成手段と、受話音声信号を音声に変換して出力する受話音声出力手段と、送話音声を音声信号に変換して入力する送話音声入力手段と、前記送話音声入力手段が入力した送話音声信号を前記第１の通信装置または前記第２の通信装置のいずれかへ切り替えて送信する送話音声信号切替送信手段と、を有し、
前記第１の通信装置との通話中に、前記第２の通信装置からの着信があった場合または前記第２の通信装置への発信があった場合、前記受話音声出力手段は、前記受話音声信号合成手段が合成した受話音声信号を音声に変換して出力し、前記送話音声信号切替送信手段は、前記送話音声入力手段が入力した送話音声信号を前記第２の通信装置へ送信するように切り替えることを特徴とする電話装置。
【請求項２】
請求項１に記載の電話装置であって、
前記第１の通信装置との通信と前記第２の通信装置との通信とを同時に行っていることを表示する手段をさらに有することを特徴とする電話装置。
【請求項３】
請求項１または請求項２に記載の電話装置であって、
着信時または発信時に当該通信装置が通信会議装置であるか否かを判定する通信会議判定手段をさらに有し、
前記第１の通信装置または前記第２の通信装置のいずれかが通信会議装置であると判定された場合、前記送話音声信号切替送信手段は、予め定められた特定のキーが押下されている間のみ、前記送話音声入力手段が入力した送話音声信号を前記通信会議装置と判定された側の通信装置へ送信することを特徴とする電話装置。
【請求項４】
請求項１ないし請求項３のいずれか一つに記載の電話装置であって、
前記受話音声信号合成手段は、前記送話音声信号切替送信手段が送話音声信号を送信していない側の通信装置から受話音声信号の音声レベルを低くして合成することを特徴とする電話装置。
【発明の詳細な説明】
【技術分野】
【０００１】
本発明は、非会議通話と会議通話を同時に行う電話装置に関する。
【背景技術】
【０００２】
特許文献１には、音声会議中に特定の会議参加者との個別通話を行う電話会議装置が開示されている。
【０００３】
【特許文献１】特開平８−０１８６７６号公報
【発明の開示】
【発明が解決しようとする課題】
【０００４】
特許文献１に記載の技術では、音声会議中に特定の会議参加者との個別通話を行うと、その間は音声会議の内容を聞く事が出来ない。また、取引相手等との重要な電話協議中に、電話会議装置から会議参加を促す呼び出しがあった場合に、当該通話中の呼を終了する必要がある。
【０００５】
本発明の目的は、上記事情に鑑みてなされたものであり、音声会議中に他の会議参加者または非参加者との音声通話を可能とし、会議中と通話中の両方の受話音声を聞き続けながら、通話中の送話音声は通話相手のみに送信する電話装置を提供することにある。
【課題を解決するための手段】
【０００６】
上述した課題は、複数の通信装置との通話機能を有し、第１の通信装置からの受話音声信号を受信する第１受話音声信号受信手段と、第２の通信装置からの受話音声信号を受信する第２受話音声信号受信手段と、第１受話音声信号受信手段が受信した第１の音声信号と第２受話音声信号受信手段が受信した第２の音声信号とを合成する受話音声信号合成手段と、受話音声信号を音声に変換して出力する受話音声出力手段と、送話音声を音声信号に変換して入力する送話音声入力手段と、送話音声入力手段が入力した送話音声信号を第１の通信装置または第２の通信装置のいずれかへ切り替えて送信する送話音声信号切替送信手段と、を有し、第１の通信装置との通話中に、かつ第２の通信装置からの着信があった場合または第２の通信装置への発信があった場合、受話音声出力手段は、受話音声信号合成手段が合成した受話音声信号を音声に変換して出力し、送話音声信号切替送信手段は、送話音声入力手段が入力した送話音声信号を第２の通信装置へ送信するように切り替える電話装置により、達成できる。
【発明の効果】
【０００７】
本発明によれば、音声会議中に他の通話相手と音声通話を行っているときでも音声会議の音声が聞こえるため、音声会議の様子がわかり容易に音声会議へ戻ることができる。
【発明を実施するための最良の形態】
【０００８】
以下、本発明の実施の形態について、実施例を用い図面を参照しながら説明する。なお、実質同一部位には、同じ参照番号を用い、説明は繰り返さない。
まず、図１を参照して、電話システムを説明する。ここで、図１は、複数の相手との通話機能を有する電話装置を含む電話システムの接続構成図である。図１において、複数の相手との通話機能を有する電話装置２００は、ＩＰ網１００に接続されたルータ（またはゲートウェイ）６００が接続されたＬＡＮ回線７００に接続される。ＩＰ網１００には、電話会議を実現する多地点接続装置（ＭＣＵ：Multipoint Control Unit）４００とＳＩＰサーバ５００と電話会議を行うＩＰ機器３００−１と３００−２が接続され、さらに非会議通話を行うＩＰ機器３００−３も接続される。
【０００９】
電話装置２００が、複数のＩＰ機器３００−１と３００−２と電話会議を行うには、次の手順による。まず、電話装置２００は、ＭＣＵ４００と接続するためにＳＩＰサーバ５００へ発信を行う。ＳＩＰサーバ５００は、ＭＣＵ４００へ接続を行い、音声の通話路を電話装置２００とＭＣＵ４００との間で確立する。
【００１０】
さらに、ＩＰ機器３００−１とＩＰ機器３００−２も同様に、ＭＣＵ４００と接続するためにＳＩＰサーバ５００へ発信を行って、ＭＣＵ４００と接続を行い、音声の通話路をＭＣＵ４００とＩＰ機器３００−１との間、さらにＭＣＵ４００とＩＰ機器３００−２との間で確立する。
【００１１】
ＭＣＵ４００は、接続された電話装置２００、ＩＰ機器３００−１、ＩＰ機器３００−２の音声をミキシング（合成）して、複数の相手による電話会議を実現する。電話会議中に電話装置２００へＩＰ機器３００−３から着信があると、電話装置２００は、ＳＩＰサーバ５００より着信を受ける。電話装置２００は、ＩＰ機器３００−１とＩＰ機器３００−２との電話会議を継続したままでＩＰ機器３００−３からの着信を受け付け通話する。
【００１２】
このとき、電話装置２００は、ＭＣＵ４００からの受話の音声は受信するが、ＭＣＵ４００に対して電話装置２００の送話の音声は送信しない。これより、電話装置２００の送話は、着信のあったＩＰ機器３００−３に対して行い、ＭＣＵ４００へ接続しているＩＰ機器３００−１とＩＰ機器３００−２へは送信しない。このため電話装置２００の音声は、ＩＰ機器３００−１とＩＰ機器３００−２では、聞こえない。しかし、電話装置２００は、ＭＣＵ４００からの受話の音声は受信しているため、ＩＰ機器３００−３と通話を行っても、ＩＰ機器３００−１とＩＰ機器３００−２の音声は聞くことができ、容易に電話会議に復帰することができる。
【００１３】
図２を参照して、複数の相手との通話機能を有する電話装置を説明する。ここで、図２は電話装置の機能ブロック図である。図２において、電話装置２００は、キー入力部４０１と、電話会議登録処理部４０２と、参加者テーブル４０３と、主制御部４０４と、音声通話切替通知部４０５と、音声方向通知部４０６と、表示部４０７と、２つの受話音声信号受信処理部４０８と、受話音声合成部４１０と、受話レベル調整部４１１と、受話音声出力部４１２と、送話音声入力部４１３と、送話音声切替部４１４と、ＲＴＰ処理部４１５と、ＳＩＰ処理部４１６と、ＴＣＰ／ＵＤＰ／ＩＰ処理部４１７と、イーサネット（登録商標）処理部４１８を有する。
【００１４】
キー入力部４０１は、ＩＰ機器への発信や着信応答の操作による機能と電話会議中の送話の音声の切替の機能を有し、キー操作の情報を主制御部４０４へ通知する。キー入力部４０１は、さらに、キー操作情報を音声通話切替通知部４０５へ通知する。
【００１５】
電話会議登録処理部４０２は、主制御部４０４からの指示により通話中の相手のＩＰ機器を電話会議中端末として登録する。登録したＩＰ機器は、参加者テーブル４０３として保存する。
【００１６】
主制御部４０４は、キー入力部４０１から通知された情報と発信状態または着信状態を判定し、状態を遷移させる。また、音声の切替、音声レベルの調節などの指示を行い、音声送信方向の表示の指示を行う。音声通話切替通知部４０５は、複数の電話機との通話中に他の電話機との通話切替指示を主制御部４０４へ通知する。
【００１７】
音声方向通知部４０６は、主制御部４０４からの指示により、電話装置２００が、ＭＣＵ４００の会議通話へ音声を送信しているか、非会議通話を行うＩＰ機器３００−３へ音声を送信しているかの表示データを作成し、表示部４０７へ送信する。表示部４０７は、複数の相手との電話会議の通話中に他の非会議の相手との通話中であることを表示させるためにＬＣＤなどへ表示を行う。
【００１８】
受話音声信号受信処理部４０８−１は、電話会議の相手または非電話会議の第一の相手からの受話音声信号を受信し、受話音声合成部４１０へ送信する。受話音声信号受信処理部４０８−２は、電話会議の相手または非電話会議の第二の相手からの受話音声信号を受信し、受話音声合成部４１０へ送信する。
【００１９】
ここで、第一の相手とは、ＩＰ機器３００−１やＩＰ機器３００−２の会議通話を行う相手である。また、第二の相手とは、非会議通話を行うＩＰ機器３００−３である。受話音声合成部４１０は、第一の相手からの音声と第二の相手からの音声をミキシングし、音声合成を行う機能を有する。合成した音声は、受話音声出力部４１２へ通知する。
【００２０】
受話レベル調整部４１１は、受話音声合成部４１０に対して、主制御部４０４からの指示により、送話音声を送信していない相手からの受話音声の信号レベルを低下させる。
【００２１】
受話音声出力部４１２は、受話音声信号を音声にＤ／Ａ変換して出力する。送話音声入力部４１３は、送話音声を音声信号にＡ／Ｄ変換して入力する。送話音声切替部４１４は、送話音声入力部４１３から入力した音声を主制御部４０４の制御により、送話音声信号を第一の相手または第二の相手のいずれかへ切り替えて送信する。
【００２２】
ＲＴＰ処理部４１５は、音声データからＩＰパケットを形成する。ＲＴＰ処理部４１５は、また、ＩＰパケットから音声データを形成する。ＳＩＰ処理部４１６は、通話するための発信や着信などのシーケンスを制御する。ＴＣＰ／ＵＤＰ／ＩＰ処理部４１７は、ＲＴＰ処理部４１５またはＳＩＰ処理部４１６で形成したＩＰパケットをプロトコルとして送受信する。イーサネット処理部４１８は、ＩＰパケットについてＬＡＮネットワーク７００との間で送受信する。
【００２３】
図３を参照して、複数の相手との通話機能を有する電話装置で会議通話中に非会議通話を行う動作を説明するためのシーケンスを説明する。ここで、図３はＭＣＵとＳＩＰサーバと電話装置と複数のＩＰ機器との間のシーケンス図である。図３において、電話装置２００は、会議通話を行うためにＳＩＰサーバ５００へ発信を行う（Ｓ５０１）。ＳＩＰサーバ５００は、ＭＣＵ４００へ接続を行う（Ｓ５０２）。ＭＣＵ４００は、電話装置２００へ応答を返送する（Ｓ５０３）。この結果、通話路ができて電話装置２００とＭＣＵ４００で通話状態となる。
【００２４】
次に、ＩＰ機器３００−１が会議通話を行うために同じく、ＳＩＰサーバ５００へ発信を行う（Ｓ５０５）。ＳＩＰサーバ５００は、ＭＣＵ４００へ接続を行う（Ｓ５０６）。ＭＣＵ４００は、ＩＰ機器３００−１へ応答を返送する（Ｓ５０７）。この結果、通話路ができてＩＰ機器３００−１とＭＣＵ４００で通話状態となる。
【００２５】
さらに、ＩＰ機器３００−２が会議通話を行うために同じく、ＳＩＰサーバ５００へ発信を行う（Ｓ５０９）。ＳＩＰサーバ５００は、ＭＣＵ４００へ接続を行う（Ｓ５１０）。ＭＣＵ４００は、ＩＰ機器３００−２へ応答を返送する（Ｓ５１１）。この結果、通話路ができてＩＰ機器３００−２とＭＣＵ４００で通話状態となる。
【００２６】
ＭＣＵ４００は、電話装置２００、ＩＰ機器３００−１、ＩＰ機器３００−２の音声を合成して、電話装置２００、ＩＰ機器３００−１、ＩＰ機器３００−２へ送信することにより、３者による会議通話状態となる。
【００２７】
会議状態であるときに、第二の通話として電話装置２００に対してＩＰ機器３００−３からの着信を説明する。ＩＰ機器３００−３は、電話装置２００へ発信するためにＳＩＰサーバ５００へ発信動作を行う（Ｓ５１３）。ＳＩＰサーバ５００は、電話装置２００へ着信する（Ｓ５１４）。電話装置２００は、ＩＰ機器３００−３に対して応答を送信する（Ｓ５１５）。電話装置２００は、送話音声切替部４１４により、ＭＣＵ４００へ送出していた送話の音声を切り替えて（Ｓ５１６）、ＩＰ機器３００−３へ送信し、電話装置２００とＩＰ機器３００−３で通話状態となる。
【００２８】
ＩＰ機器３００−１はＭＵＣ４００と通話状態を継続しており、ＩＰ機器３００−２もＭＵＣ４００と通話状態を継続している。そのため、会議通話は継続している。電話装置２００は、ＭＣＵ４００から送られるＩＰ機器３００−１とＩＰ機器３００−２の第一の音声を受話レベル調整部４１１への制御により、ＩＰ機器３００−３の第二の音声よりレベルを下げる制御を行う（Ｓ５２０）。この結果、ＭＣＵ４００からのＩＰ機器３００−１とＩＰ機器３００−２の受話の音声が小さくなり、ＩＰ機器３００−３からの受話の音声が聞きやすくなる。ここで、ＭＣＵ４００から電話装置２００への、片方向矢印は、片方向送話であることを示している。
【００２９】
会議通話へ戻るときは、電話装置２００の切替操作を受けて、送話音声切替部４１４にてＩＰ機器３００−３へ送信していた送話の音声をＭＣＵ４００へ切り替える（Ｓ５２２）。ＭＣＵ４００を経由してＩＰ機器３００−１とＩＰ機器３００−２の会議通話を行うことが出来る。ＩＰ機器３００−１とＭＣＵ４００は通話が継続しており、またＩＰ機器３００−２とＭＣＵ４００の通話も継続している。このため、会議通話を終了することなく、会議通話である第一の通話と非会議通話である第二の通話を自由に切り替えることができる。第一の通話に切り替えたことにより、ＩＰ機器３００−３からの受話の音声レベルを下げ（Ｓ５２６）、ＩＰ機器３００−３からの音声を受話しながら会議通話を行うことができる。ここで、ＩＰ機器３００−３から電話装置２００への、片方向矢印は、片方向送話であることを示している。
【００３０】
図４を参照して、複数の相手との通話機能を有する電話装置の動作を説明する。ここで、図４は電話装置の動作フローチャートである。図４において、電話装置２００は、キー操作（Ｓ６０１）により、キー入力部４０１で発信操作と、着信操作と、音声出力切替を判断する（Ｓ６０２、Ｓ６１３、Ｓ６２４）。また、主制御部４０４にて通話中であるかの状態を監視している（Ｓ６２３）
発信の場合（Ｓ６０２でＹｅｓ）、主制御部４０４は、会議発信かを判定する（Ｓ６０３）。会議発信であれば（Ｓ６０３でＹｅｓ）、主制御部４０４は、ＭＣＵ４００へＳＩＰサーバ５００を経由して発信する（Ｓ６０４）。ＭＣＵ４００からの応答を暫時待って、主制御部４０４は、応答を判定する（Ｓ６０５）。応答が無ければ（Ｓ６０５でＮｏ）、主制御部４０４は、待機状態となる。
【００３１】
応答があると（Ｓ６０５でＹｅｓ）、電話装置２００は、ＭＣＵ４００との音声通話中となる（Ｓ６０６）。電話装置２００の電話会議登録処理部４０２は、ＭＣＵ４００からの会議参加者情報を受信し（Ｓ６０７）、参加者テーブル４０３へ保存する（Ｓ６０８）。参加者テーブル４０３は、通話しているＩＰ機器が会議通話であるか非会議通話であるかを認識し、第一と第二の通話相手の同時通話であることや送話方向の表示データに使用する。電話装置２００は、音声方向通知部４０６よりＭＣＵ４００へ通話の方向であることを表示して（Ｓ６０９）、待機状態（キー操作待ち）となる。
【００３２】
電話装置２００の発信が非会議通話への発信のときは（Ｓ６０３でＮｏ）、主制御部４０４は、非会議通話としてＩＰ機器へ発信する（Ｓ６１０）。相手のＩＰ機器からの応答を暫時待って、主制御部４０４は、応答を判定する（Ｓ６１１）。応答があれば（Ｓ６１１でＹｅｓ）、主制御部４０４は、会議通話中かを判定する（Ｓ６１６）。会議通話中であれば（Ｓ６１６でＹｅｓ）、送話音声切替部４１４より、ＭＣＵ４００との音声通話を着信があったＩＰ機器３００−３へ送話を切り替える（Ｓ６１７）。続けて、ＭＣＵ４００からの受話音声とＩＰ機器３００−３からの受話音声を受話音声合成部４１０で合成する（Ｓ６１８）。そして、主制御部４０４は、受話レベル調整部４１１を制御してＭＣＵ４００からの受話音声のレベルを下げる（Ｓ６１９）。電話装置２００の送話方向は、着信応答したＩＰ機器３００−３であるため、送話方向を表示部４０７を制御して、ＩＰ機器３００−３への送話であることの表示を行う（Ｓ６２０）。そして、会議通話の第一の通話と非会議通話の第二の同時通話であることを表示する（Ｓ６２１）。電話装置２００とＩＰ機器３００−３とで音声通話状態となって（Ｓ６２２）、主制御部４０４は待機状態となる。主制御部４０４は、複数の通話中でなければ（Ｓ６１６でＮｏ）、そのままステップ６２２に遷移する。
主制御部４０４は、応答が無い場合（Ｓ６１１でＮｏ）、電話装置２００は、そのまま待機状態となる。
【００３３】
電話装置２００のキー操作（Ｓ６０１）により、キー入力部４０１で着信の操作をした場合（Ｓ６０２でＮｏかつＳ６１３でＹｅｓ）、主制御部４０４は、表示部４０７へ着信表示を行い（Ｓ６１４）、着信応答した後（Ｓ６１５）、ステップ６１６に遷移する。
【００３４】
キー操作（Ｓ６０１）で、発信操作、着信操作以外の操作を行った場合（Ｓ６０２でＮｏかつＳ６１３でＮｏ）、主制御部４０４は、通話中か判定する（Ｓ６２３）。通話中のとき（Ｓ６２３でＹｅｓ）、主制御部４０４は、ステップ６０１のキー操作が切替か判定する（Ｓ６２４）。Ｙｅｓのとき、ステップ６１６に遷移する。主制御部４０４はステップ６２４でＮｏのとき、待機状態となる。
【００３５】
ステップ６２３でＮｏのとき、主制御部４０４は、複数通話終了か判定する（Ｓ６２５）。Ｙｅｓのとき、主制御部４０４は同時通話を解除して（Ｓ６２６）、待機状態に遷移する。一方、ステップ６２５でＮｏのとき、そのまま待機状態に遷移する。
【００３６】
送話音声の切り替えは、第二の通話相手と通話中に特定のキー（例えば＃キー）を押下すると、送話が第二の通話相手から第一の通話相手へ切り替わる。また、特定のキーを押下し続けると、一時的に第二の通話相手との通話から第一の通話相手へ送話が切り替わり、第一の通話相手へ話すことができる。このとき、特定のキー押下を止めると、通話していた第二の通話相手へ送話の方向が戻ることも出来る。
【００３７】
また、第一の通話の相手がＭＣＵ４００ではなく、一般通話でも良く、一般通話中にＭＣＵ４００への発信またはＭＣＵ４００からの呼び出しによる通話を第二の通話として複数での通話でもよい。
【００３８】
以上、本発明の複数の相手との通話機能を有する電話装置の実施例を説明したが、電話装置２００は、ＭＣＵ付きの電話装置でもよく、会議通話を行うＩＰ機器３００−１やＩＰ機器３００−２も本実施例の電話装置でも良い。
【図面の簡単な説明】
【００３９】
【図１】電話システムの接続構成図である。
【図２】電話装置の機能ブロック図である。
【図３】ＭＣＵとＳＩＰサーバと電話装置と複数のＩＰ機器間のシーケンス図である。
【図４】電話装置の動作フローチャートである。
【符号の説明】
【００４０】
１００…ＩＰ網、２００…複数の相手との通話機能を有する電話装置、３００…ＩＰ機器、４００…多地点接続装置、５００…ＳＩＰサーバ、６００…ルータ、７００…ローカルエリアネットワーク。
【図１】
2009213084.tif 000003
【図２】
2009213084.tif 000004
【図３】
2009213084.tif 000005
【図４】
2009213084.tif 000006